(57)【要約】【課題】重力や遠心力により穂先竿の先端部の釣糸導出部へと迅速且つスムーズに誘導される挿通性の優れた糸通し具の提供を目的としている。【解決手段】本発明の一実施形態に係る糸通し具２０は、穂先竿先端部に釣糸導出部を有する中通し釣竿の内部に釣糸を挿通させる際に用いられる糸通し具であり、釣糸を係止する糸係止部２２を具備する本体２１を備え、本体２１の先端には、重量を付加するための加重手段３０が設けられている。【選択図】図３
2009082058.tif 000002
【特許請求の範囲】
【請求項１】
穂先竿先端部に釣糸導出部を有する中通し釣竿の内部に釣糸を挿通させる際に用いられる糸通し具であって、
釣糸を係止する糸係止部を具備する本体を備え、前記本体の先端には、重量を付加するための加重手段が設けられていることを特徴とする糸通し具。
【請求項２】
前記加重手段は、前記本体に対して錘を着脱するための錘着脱手段を有していることを特徴とする請求項１に記載の糸通し具。
【請求項３】
前記加重手段は、前記本体に対して重量を段階的に付加できることを特徴とする請求項１または請求項２に記載の糸通し具。
【発明の詳細な説明】
【技術分野】
【０００１】
本発明は、中通し釣竿に用いられ、竿管内に釣糸を挿通させる際に用いられる糸通し具に関する。
【背景技術】
【０００２】
従来、中通し釣竿に釣糸を挿通させる糸通し具として、例えば、特許文献１に開示されている構成が知られている。この糸通し具は、軸方向に延在するコイル状の部材の端部に釣糸を係止する糸係止部が設けられており、糸係止部にリールからの釣糸を係止した状態で、竿管の側面に形成された釣糸導入部に挿入させるようになっている。
【０００３】
そして、釣糸導入部から竿管内に挿入された糸通し具は、釣竿全体を下方に向けることにより、或いは釣竿を振り出すことにより、穂先竿の先端部に形成された釣糸導出部（トップガイド）から導出され、これによりリールからの釣糸を釣竿内に挿通させることが可能になる。
【特許文献１】特開平１１−１８６５０号公報
【発明の開示】
【発明が解決しようとする課題】
【０００４】
上記したような糸通し具は、その外径が、釣竿の糸通し経路の最小内口径以下、具体的には、穂先竿の先端部に設けられた釣糸導出部の内径よりも小径に形成されており、釣竿の穂先側を下方に向けたり、釣竿を振り出した際、引っ掛かることなく、釣糸導出部から突出できるように構成されている。
【０００５】
しかしながら、このような糸通し具は、細径であることから一般的に全体として軽量であり、また、全長にわたって重量分布が略均一であることから、長さの異なる釣竿（特に長い釣竿）に対しては、重力や遠心力が不足するとともに、竿先を下方へ向けられる角度にも限界があり（竿が長い場合には、大きな角度で下方に向けると、竿先が地面にぶつかるため）、糸通し具を穂先竿の先端部の釣糸導出部へと誘導して突出させることが難しい場合がある。
【０００６】
本発明は、上記した問題に着目してなされたものであり、重力や遠心力により穂先竿の先端部の釣糸導出部へと迅速且つスムーズに誘導される挿通性の優れた糸通し具を提供することを目的とする。
【課題を解決するための手段】
【０００７】
上記した目的を達成するために、本発明は、穂先竿先端部に釣糸導出部を有する中通し釣竿の内部に釣糸を挿通させる際に用いられる糸通し具であって、釣糸を係止する糸係止部を具備する本体を備え、前記本体の先端には、重量を付加するための加重手段が設けられていることを特徴とする。
【０００８】
上記した構成の糸通し具によれば、釣糸挿通操作時において、釣糸を糸係止部に係止した状態で、釣糸導入部に挿入する。この状態で、釣竿の穂先側を下方に向けたり、釣竿を振り出すと、糸通し具は釣糸導出部から突出する。この場合、釣竿の長さが異なるものであっても（更に長い竿に適用する場合であっても）、加重手段による重量付加により必要重量を本体に配設することで、重量が本体の先端側に集中し、糸通し具全体の重心位置が本体の先端寄りとなるため、釣竿全体を下方に向けて軽く振り出すだけで、重力や遠心力により糸通し具を穂先竿の先端部の釣糸導出部へと迅速且つスムーズに誘導することができる。したがって、釣竿に対する糸通し具の挿通性能が従来に比べて格段に向上される。
【発明の効果】
【０００９】
本発明によれば、中通し釣竿の釣糸挿通操作時において、重力や遠心力により糸通し具を穂先竿の先端部の釣糸導出部へと迅速且つスムーズに誘導することができる。
【発明を実施するための最良の形態】
【００１０】
以下、本発明に係る糸通し具の実施形態について、添付図面を参照して具体的に説明する。最初に、図１及び図２を参照して、糸通し具が用いられる中通し釣竿の構成例について説明する。
【００１１】
中通し釣竿１は、例えば、図１に示すように、複数の竿杆（元竿管１Ａ，中竿管１Ｂ，穂先竿管１Ｃ）を備えており、これらは振出式又は並継式（図に示す構成は振出式）に構成されている。
【００１２】
元竿管１Ａには、リール５０が装着されるリールシート３と、リール５０から繰り出される釣糸を釣竿の内部に導入する釣糸導入部５が設けられている。釣糸導入部５は、公知のように、元竿管１Ａの側面から膨出する糸導入ガイド５Ａと、元竿管１Ａの側面に形成される糸導入孔５Ｂとを備えている（図２参照）。
【００１３】
図２に示されるように、糸導入ガイド５Ａには、糸導入ガイドリング５Ｃが設けられており、糸導入孔５Ｂには、ガイドリング５Ｄが設けられている。これらの糸導入ガイドリング５Ｃ及びガイドリング５Ｄは、釣糸を円滑に摺動させるためのものであり、例えば、セラミックや金属によって形成され、所定の位置に取着される。
【００１４】
中竿管１Ｂには、その後端部に尻栓６が取着されており、その尻栓６には、釣糸導入部５から導入された釣糸を案内するガイドリング６Ａが取着されている。このガイドリング６Ａについても、例えば、セラミックやアルミ、ＳＵＳ等の金属によって形成される。
【００１５】
穂先竿管１Ｃには、その先端部に釣糸導出部を構成するトップガイド７が取着されている。トップガイド７は、例えば、樹脂や金属によって円筒状に一体形成されており、穂先竿管１Ｃの先端部に嵌入することで取着されている。また、トップガイド７の先端側には、例えば、セラミックや金属によって形成され、釣糸を摺接させるリング部材（図示せず）が取着されている。なお、図示しないが、中竿管１Ｂ及び穂先竿管１Ｃの内面には、釣糸を案内するスパイラル状の挿通ガイドが形成されている。
【００１６】
次に、上記したように構成される中通し釣竿に対して、釣糸を挿通させる際に用いられる糸通し具の実施形態について説明する。
【００１７】
図３は、糸通し具の第１の実施形態を示す図である。
図示のように、本実施形態に係る糸通し具２０は、金属素材（例えば、ＳＵＳ材、ばね鋼、超弾性金属、複合金属など）や合成樹脂などにより棒状（線状）に形成された本体２１を備えている。本体２１は、軸長方向に所定の長さ（１００〜３００ｍｍ）を有しており、その構成素材及び形状により、全体として柔軟性を備えている。また、本体２１の外径Ｄ１については、前記リング部材の内径よりも小さく設定されており、本体２１は、前記リング部材に対して自由に挿通できるようになっている。
【００１８】
また、本体２１の一端、すなわち、釣糸導入部５への糸通し具２０の導入時に手元側に位置する本体２１の基端には、釣糸を係止する糸係止部２２が設けられている。この糸係止部２２は、金属や樹脂等の線材によってループ状に構成されており、本体２１の基端面に設けられている。この場合、糸係止部２２は、上記した本体２１の構成素材と共に一体形成しても良いし、別の素材をループ状にしておき、本体２１の端面領域に対して接着材によって取着する構成であっても良い。或いは、糸係止部２２を有する円柱状の部材を、本体２１の開口に嵌入して固定する構成であっても良い。更に、糸係止部２２は、ループ状以外の形状であっても良く、端部が先細りになっていて釣糸を挟み込む細溝を有していても良い。
【００１９】
また、本体２１の他端、すなわち、釣糸導入部５への糸通し具２０の導入側の端部である本体２１の先端には、重量を付加するための重量付加部（加重手段）３０が設けられている。この重量付加部３０は、少なくとも１つ（本実施形態では、２つ）の錘４０，４２と、これらの錘４０，４２を本体２１に対して着脱するための錘着脱手段とを有している。具体的には、第１の錘４２は、その基端側の取付部４２ａが本体２１の先端に取り外し不能に固着されている。また、第１の錘４２の先端の凹状の接続孔４２ｂの内周面には雌ネジ４２ｃが形成されており、この雌ネジ４２ｃには、第２の錘４０の基端側の取付部４０ａの外周面に形成された雄ネジ４０ｂが螺合できるようになっている。この場合、雌ネジ４２ｃおよび雄ネジ４０ｂは前記錘着脱手段を構成する。更に、第２の錘４０の先端の凹状の接続孔４０ｃの内周面には雌ネジ４０ｄが形成されており、この雌ネジ４０ｄには、キャップ３１の基端側の取付部３１ａの外周面に形成された雄ネジ３１ｂが螺合できるようになっている。キャップ３１は、樹脂や金属などから成り、接触抵抗を低くして挿入性・挿通性を向上させるために先端が丸みを帯びた形状を成している。糸通し具２０の先端に配置されるこのキャップ３１は、単に挿入性・挿通性を向上させる機能のみを備えていても良いが、第３の錘としての機能を兼ね備えていても良い。その場合、雌ネジ４０ｄおよび雄ネジ３１ｂは前記錘着脱手段を構成する。
【００２０】
このように、本実施形態の重量付加部３０は本体２１に対して錘４０，４２（重量）を段階的に付加できるが、そのような錘４０，４２（随意的に、キャップ３１も）は、重力や遠心力に伴う竿管内での挿通性を高めるため、ＳＵＳ、タングステン、チタンなどの比重の高い金属、あるいは、比重の高い金属粉末を含んだ樹脂によって形成されている。なお、本実施形態において、キャップ３１の外周面は錘４０，４２の外周面と略面一になっているが、キャップ３１を含めた錘４０，４１の外径Ｄ２については、前記リング部材の内径よりも小さく設定されており、キャップ３１および錘４０，４２も含めた糸通し具２０全体を前記リング部材に対して自由に挿通できるようになっている。
【００２１】
上記した構成の糸通し具２０によれば、釣糸挿通操作時において、釣糸を基端に設けられた糸係止部２２に係止しておき、先端側から釣糸導入部５（糸導入ガイド５Ａ、及び糸導入孔５Ｂ）を介して竿管内に挿入する（図２の点線）。この状態で、釣竿の穂先側を下方に向けたり、釣竿を振り出し操作すると、糸通し具２０がトップガイド７から突出して引き出され、釣糸を釣竿内に挿通することができる。このとき、重量付加部３０による重量付加（錘４０，４２の付加）により、重量が本体２１の先端側に集中し、糸通し具２０全体の重心位置が本体２１の先端寄りとなるため、釣竿全体を下方に向けて軽く振り出すだけで、重力や遠心力により糸通し具２０を穂先竿の先端部のトップガイド７へと迅速且つスムーズに誘導することができる。したがって、釣竿に対する糸通し具２０の挿通性能が従来に比べて格段に向上される。
【００２２】
図４は、糸通し具の第２の実施形態を示す図である。
図示のように、本実施形態に係る糸通し具２０は、重量付加部３０の構成のみが第１の実施形態と異なっている。すなわち、本実施形態の重量付加部３０は、本体２１の先端の取付部５０に対してフック（錘着脱手段）５２を介して複数（本実施形態では２つ）の錘（第１の実施形態と同様、高比重材料から成る）６０，６２を着脱自在に取り付けることができるようになっている。具体的には、第１の錘６２がフック５２を介して本体２１の取付部５０に対して着脱自在に取り付けられ、また、第２の錘６０がフック５２を介して第１の錘６２に対して着脱自在に取り付けられている。そして、第２の錘６０には、前述した機能を有するキャップ３１が取り付けられている。なお、それ以外の構成は第１の実施形態と同一である。
このように、本実施形態の重量付加部３０も、錘６０，６２を本体２１に対して着脱自在に且つ段階的に接続して重量を段階的に付加できるようになっているため、第１の実施形態と同様の作用効果を得ることができる。
【００２３】
図５は、糸通し具の第３の実施形態を示す図である。
図示のように、本実施形態に係る糸通し具２０も、重量付加部３０の構成のみが第１の実施形態と異なっている。すなわち、図５の（ａ）に示されるように、本実施形態の重量付加部３０は、本体２１の先端の取付部５０から延出する錘支持用の支軸５７（錘着脱手段）を有している。この支軸５７には、図５の（ｂ）（ｃ）に示される断面がＣ字形状の錘７０が着脱自在に取り付けられるようになっている。本実施形態において、この錘７０は、円形のリングの円弧の一部を切り欠いた形状を成しており、その切り欠き部７０ａを弾性的に押し広げてその全体が拡径される（錘着脱手段を構成する）ことで支軸５７に対して取り付けられる（図５の（ｄ）参照）。そのため、錘７０は、高い比重を有しつつ、弾性的に拡径できる素材から成る。無論、錘７０が拡径することなく、支軸５７が縮径することにより、支軸５７に対して錘７０が取り付けられるようになっていても良い。また、支軸５７の先端には、前述した機能を有するキャップ３１が取り付けられている。なお、それ以外の構成は第１の実施形態と同一である。
このように、本実施形態の重量付加部３０も、錘７０を本体２１に対して着脱自在に取り付けることができ、重量を付加できるようになっているため、第１の実施形態と同様の作用効果を得ることができる。無論、本実施形態においても、支軸５７に対して複数の錘７０を着脱自在に且つ段階的に取り付けることができるようになっていても良い。
【００２４】
以上、本発明の実施形態について説明したが、本発明は、上記した実施形態に限定されることはなく、種々変形することが可能である。例えば、前述した実施形態における本体１が密巻きコイルから成っていても良い。また、本体２１に対して取り付けられる錘の数は１つや２つに限らず、３つ以上であっても良い。また、本体２１に対する錘の着脱形式も、ネジやフック等に限らない。
【図面の簡単な説明】
【００２５】
【図１】中通し釣竿の一構成例を示す図。
【図２】図１に示す中通し釣竿の釣糸導入部領域の断面図。
【図３】（ａ）は第１の実施形態に係る糸通し具の側面図、（ｂ）は第１の実施形態に係る糸通し具の先端側断面図。
【図４】（ａ）は第２の実施形態に係る糸通し具の側面図、（ｂ）は第２の実施形態に係る糸通し具の先端側拡大図。
【図５】（ａ）は第３の実施形態に係る糸通し具の側面図（錘が取り外された状態）、（ｂ）は錘の側面図、（ｃ）は錘の正面図、（ｄ）は第３の実施形態に係る糸通し具の側面図（錘が装着された状態）。
【符号の説明】
【００２６】
１  中通し釣竿
５  釣糸導入部
７  トップガイド（釣糸導出部）
２０  糸通し具
２１  本体
２２  糸係止部
３０  重量付加部（加重手段）
４０ｂ，４２ｃ  ネジ（錘着脱手段）
５２  フック（錘着脱手段）
５７  支軸（錘着脱手段）
【図１】
2009082058.tif 000003
【図２】
2009082058.tif 000004
【図３】
2009082058.tif 000005
【図４】
2009082058.tif 000006
【図５】
2009082058.tif 000007